(57)【要約】【課題】ワイヤレスマイクの設置間違いによるミスオペレーションを防止し、かつ、使用者に応じたワイヤレスマイクに関する各種パラメータを自動で読込み可能な音声システムを提供する。【解決手段】送信機のＩＤ受信部５０は、非接触情報媒体に格納された使用者のＩＤデータを受信する。受信機側は、送信機により送信された音声信号とＩＤデータを受信部Ｒにより受信し、制御部６０ｂが、まず、そのうちのＩＤデータを取り出し、このＩＤデータを基に記憶部７０ｂから使用者名称や音声処理に関する各種パラメータ設定値である個人に関するデータを読み出し、液晶表示部８０に表示する。【選択図】図１
2011109313.tif 000002
【特許請求の範囲】
【請求項１】
ユーザのＩＤデータを格納する情報端末と、音声信号の入力、変調及び電波送信の送信側回路手段を備えたワイヤレスマイク送信機と、電波受信、音声信号の復調及び出力の受信側回路手段を備えた受信機と、を有する音声システムにおいて、
前記ワイヤレスマイク送信機は、
前記情報端末からＩＤデータを受信するＩＤ受信部と、
前記ＩＤ受信部を通じて受信した前記ＩＤデータを、入力され変調された音声信号と共に前記受信機に送信するよう前記送信側回路手段を用いて制御する送信機側制御部と、を備え、
前記受信機は、
各ＩＤデータに対応する音声処理に関する音量、音圧、ミキシングバランスを含む各種パラメータ設定値を有する個人データを格納する記憶部と、
受信した前記ＩＤデータに対応する各種パラメータ設定値を前記記憶部から読み出し、音声信号の復調及び出力に際し、当該パラメータ設定値を前記受信側回路手段を用いて反映させる受信機側制御部と、
を備えることを特徴とする音声システム。
【請求項２】
表示部を備え、
前記記憶部に格納される個人データは、ＩＤデータに対応するユーザ名称を含み、
前記受信機側制御部は、前記受信側回路手段を通じて受信したＩＤデータに対応する前記個人データを前記記憶部から抽出し、前記表示部に表示させることを特徴とする請求項１に記載の音声システム。
【請求項３】
前記受信機は、
操作部と、
前記操作部を通じて任意に編集された前記個人データを前記記憶部に登録する登録手段と、
を有することを特徴とする請求項１又は２に記載の音声システム。
【請求項４】
前記ワイヤレスマイク送信機は、
音声信号を増幅又は減衰させる音声レベル調整部と、
各ＩＤデータに対応する音声レベル設定値を格納する記憶部と、を備え、
前記送信機側制御部は、当該記憶部から前記ＩＤ受信部により受信した前記ＩＤデータに対応する音声レベル設定値を読み出し、当該音声レベル設定値に基づいて前記音声レベル調整部を制御することを特徴とする請求項１〜３のいずれか１項に記載の音声システム。
【請求項５】
前記受信機は、音声信号を増幅又は減衰させる音声レベル調整部を備え、
前記受信機の前記記憶部は、各ＩＤデータに対応する音声レベル設定値を格納し、
前記受信機側制御部は、当該記憶部から、受信した前記ＩＤデータに対応した音声レベル設定値を読み出し、当該音声レベル設定値に基づいて前記音声レベル調整部を制御することを特徴とする請求項１〜３のいずれか１項に記載の音声システム。
【請求項６】
ユーザのＩＤデータを格納する情報端末と、音声信号の入力、変調及び電波送信の送信側回路処理をコンピュータにより実行するワイヤレスマイク送信機と、電波受信、音声信号の復調及び出力の受信側回路処理をコンピュータにより実行する受信機と、を有する音声システムの制御方法において
前記ワイヤレスマイク送信機は、
前記情報端末からＩＤデータを受信するＩＤ受信部を備え、
前記受信機は、
各ＩＤデータに対応する音声処理に関する音量、音圧、ミキシングバランスを含む各種パラメータ設定値を有する個人データを格納する記憶部と、
表示部と、を備え、
前記ワイヤレスマイク送信機のコンピュータは、前記ＩＤ受信部を通じて受信した前記ＩＤデータを、入力され変調された音声信号と共に前記受信機に送信するよう制御し、
前記受信機のコンピュータは、受信した前記ＩＤデータに対応する各種パラメータ設定値を前記記憶部から読み出し、当該パラメータ設定値を音声信号の復調及び出力に反映するよう制御することを特徴とする音声システムの制御方法。
【請求項７】
前記記憶部に格納される個人データは、ＩＤデータに対応するユーザ名称を含み、
前記受信機のコンピュータは、受信したＩＤデータに対応する前記個人データを前記記憶部から抽出し、前記表示部に表示させるよう制御することを特徴とする請求項６に記載の音声システムの制御方法。
【請求項８】
前記ワイヤレスマイク送信機は、
音声信号を増幅又は減衰させる音声レベル調整部と、
各ＩＤデータに対応する音声レベル設定値を格納する記憶部と、を備え、
前記ワイヤレスマイク送信機のコンピュータは、当該記憶部から前記ＩＤ受信部により受信した前記ＩＤデータに対応する音声レベル設定値を読み出し、当該音声レベル設定値に基づいて前記音声レベル調整部を制御することを特徴とする請求項６又は７に記載の音声システムの制御方法。
【請求項９】
前記受信機は、音声信号を増幅又は減衰させる音声レベル調整部を備え、
前記受信機のコンピュータは、各ＩＤデータに対応する音声レベル設定値が格納された前記記憶部から、受信した前記ＩＤデータに対応した音声レベル設定値を読み出し、当該音声レベル設定値に基づいて前記音声レベル調整部を制御することを特徴とする請求項６又は７に記載の音声システムの制御方法。
【請求項１０】
ユーザのＩＤデータを格納する情報端末と、音声信号の入力、変調及び電波送信の送信側回路処理をコンピュータに実行させるワイヤレスマイク送信機と、電波受信、音声信号の復調及び出力の受信側回路処理をコンピュータに実行させる受信機と、を有する音声システムの制御プログラムにおいて
前記ワイヤレスマイク送信機は、
前記情報端末からＩＤデータを受信するＩＤ受信部を備え、
前記受信機は、
各ＩＤデータに対応する音声処理に関する音量、音圧、ミキシングバランスを含む各種パラメータ設定値を有する個人データを格納する記憶部と、
表示部と、を備え、
前記プログラムは前記ワイヤレスマイク送信機のコンピュータに、前記ＩＤ受信部を通じて受信した前記ＩＤデータを、入力され変調された音声信号と共に前記受信機に送信するよう制御させ、
前記プログラムは前記受信機のコンピュータに、受信した前記ＩＤデータに対応する各種パラメータ設定値を前記記憶部から読み出し、当該パラメータ設定値を音声信号の復調及び出力に反映するよう制御させることを特徴とする音声システムの制御プログラム。
【発明の詳細な説明】
【技術分野】
【０００１】
本発明は、ワイヤレスマイクの設置対象を非接触型情報媒体により識別し、受信機側において音声処理に関する設定値の自動更新及び情報表示を行う音声システム、その制御方法及び制御プログラムに関する。
【背景技術】
【０００２】
従来から、放送や舞台などで使用されるワイヤレスマイクは、周波数干渉等の関係から一度に使用できる本数に制限があり、使用者の数が多い場合、人数分のワイヤレスマイクを用意することができないでいた。そのため、こういった使用者の数が多い場合においては、１つのマイクを同時に使用しない何人かで使い回す等の方策を採ることが一般的であった。
【発明の概要】
【発明が解決しようとする課題】
【０００３】
ところで、このようなワイヤレスマイクの付け替え作業は、通常、舞台裏やスタジオ内などのコンソールオペレータの目に触れない場所で、コンソールオペレータ以外のステージスタッフ（ステージに常駐する専任スタッフ）により行われる。それ故、コンソールオペレータは、手順通りに適切にワイヤレスマイクの付け替え作業がなされているかについて、インターカム等を使用して現場にいるステージスタッフやフロアスタッフとの会話によるコミュニケーション以外に確認の手段が存在しなかった。
【０００４】
こういった場合、生放送や場面転換の多い場面など、時間的制約が多いときは、スタッフ間のコミュニケーションをとる時間的余裕もなく、また、コンソールオペレータは、ワイヤレスマイクの付け替え作業が手順の通り行われたものとしてオペレーションする他ない。そのため、付け替え作業が手順通りになされなかった場合は、本番で出演者の音が出ない等のミスオペレーションを招いてしまう。
【０００５】
また、ワイヤレスマイクの付け替え作業が手順通りになされた場合であっても、ミキシングコンソールの各種パラメータの設定を、設置した出演者個々特有のパラメータ設定に瞬時に切り替える必要があり、このような場合、コンソールオペレータに対して多大な負担を課すことになる。
【０００６】
本発明は、上記のような問題を解消するために提案されたものであって、ワイヤレスマイクの設置間違いによるミスオペレーションを防止し、かつ、使用者に応じたワイヤレスマイクに関する各種パラメータを自動で読込み可能な音声システム、その制御方法及び制御プログラムを提供することにある。
【課題を解決するための手段】
【０００７】
上記のような課題を解決するために、本発明は、ユーザのＩＤデータを格納する情報端末と、音声信号の入力、変調及び電波送信の送信側回路手段を備えたワイヤレスマイク送信機と、電波受信、音声信号の復調及び出力の受信側回路手段を備えた受信機と、を有する音声システムにおいて、前記ワイヤレスマイク送信機は、前記情報端末からＩＤデータを受信するＩＤ受信部と、前記ＩＤ受信部を通じて受信した前記ＩＤデータを、入力され変調された音声信号と共に前記受信機に送信するよう前記送信側回路手段を用いて制御する送信機側制御部と、を備え、前記受信機は、各ＩＤデータに対応する音声処理に関する音量、音圧、ミキシングバランスを含む各種パラメータ設定値を有する個人データを格納する記憶部と、受信した前記ＩＤデータに対応する各種パラメータ設定値を前記記憶部から読み出し、音声信号の復調及び出力に際し、当該パラメータ設定値を前記受信側回路手段を用いて反映させる受信機側制御部と、を備えることを特徴とする。
【０００８】
このような態様によれば、ＩＤデータが格納された情報端末をユーザに所持させることにより、このＩＤデータに基づき、ユーザ毎の音声処理に関する各種パラメータ設定値を読み出し、音声出力に反映させることができる。これにより、オペレータ側において、ユーザ毎に音声処理に関する各種パラメータを調整する手間が省けるため、オペレータの負担を格段に軽減することができ、さらに、入力ミスによるミスオペレーションも抑制することが可能となる。
【０００９】
また、本発明は、表示部を備え、前記記憶部に格納される個人データは、ＩＤデータに対応するユーザ名称を含み、前記受信機側制御部は、前記受信側回路手段を通じて受信したＩＤデータに対応する前記個人データを前記記憶部から抽出し、前記表示部に表示させる態様も包含する。
【００１０】
以上のような態様によれば、ワイヤレスマイク送信機にて情報端末からＩＤデータを受信することで、当該ＩＤデータに対応したユーザの名称や使用する回線名等の情報を、受信機側で表示することが可能となる。これにより、オペレータが居る受信機側において、ワイヤレスマイクのユーザを直接的に把握することができるので、当該ワイヤレスマイクの付け替え作業が適切に行われていたを確認することが可能となり、付け間違いに対しても即座に対応することが可能となる。故に、従来システムにおいて生じていたミスオペレーションを確実に抑制することができる。
【００１１】
また、本発明は、前記受信機は、操作部と、前記操作部を通じて任意に編集された前記個人データを前記記憶部に登録する登録手段と、を有する態様も包含する。これにより、編集後の使用名称や音声処理に関する各種パラメータ設定値に関する情報を記憶部に登録することができるので、ユーザの名称の変更や音量や音質等の変化に対しても柔軟に対応することが可能となる。
【００１２】
また、本発明は、前記ワイヤレスマイク送信機は、音声信号を増幅又は減衰させる音声レベル調整部と、各ＩＤデータに対応する音声レベル設定値を格納する記憶部と、を備え、前記送信機側制御部は、当該記憶部から前記ＩＤ受信部により受信した前記ＩＤデータに対応する音声レベル設定値を読み出し、当該音声レベル設定値に基づいて前記音声レベル調整部を制御することを特徴とする。あるいは、前記受信機が、音声信号を増幅又は減衰させる音声レベル調整部を備え、前記受信機の前記記憶部は、各ＩＤデータに対応する音声レベル設定値を格納し、前記受信機側制御部が、当該記憶部から、受信した前記ＩＤデータに対応した音声レベル設定値を読み出し、当該音声レベル設定値に基づいて前記音声レベル調整部を制御することを特徴とする態様も包含する。
【００１３】
以上のような態様によれば、ＩＤデータに基づき、ユーザ毎のアッテネータ設定値又は増幅値等の音声レベル設定値を用いて音声レベルを調整することができるので、ユーザに応じた音声処理に関するミスオペレーションを防止することが可能となる。
【発明の効果】
【００１４】
以上のような本発明によれば、ＩＤデータが格納された情報端末をユーザに設置し、ワイヤレスマイク送信機にて当該情報端末からＩＤデータを受信することで、当該ＩＤデータに基づき、ユーザ毎の音声処理に関する各種パラメータ設定値を読み出し、音声出力に反映させることができる。これにより、オペレータ側において、ユーザ毎に音声処理に関する各種パラメータを調整する手間が省けるため、オペレータの負担を格段に軽減することができ、さらに、入力ミスによるミスオペレーションも抑制することが可能となる。
【００１５】
また、ＩＤデータに対応したユーザの名称や使用する回線名等の情報を、受信機側で表示することができるため、オペレータが居る受信機側において、ワイヤレスマイクのユーザを直接的に把握することが可能となる。これにより、ワイヤレスマイクの付け替え作業が適切に行われていたかを確認することが可能となり、付け間違いに対しても即座に対応することができる。故に、従来システムにおいて生じていたミスオペレーションを確実に抑制することができる。
【００１６】
さらに、ＩＤデータに基づき、ユーザ毎のアッテネータ設定値又は増幅値等の音声レベル設定値を用いて音声レベルを調整することができるので、ユーザに応じた音声処理に関するミスオペレーションを防止することが可能となる。
【図面の簡単な説明】
【００１７】
【図１】本発明の実施形態に係る音声システムの全体構成を示す図
【図２】本発明の実施形態に係る音声システムの送信機の構成を示すブロック図
【図３】本発明の実施形態に係る音声システムの受信機の構成を示すブロック図
【図４】本発明の実施形態に係る音声システムの全体構成を示す図（受信機側がミキシングコンソール）
【発明を実施するための形態】
【００１８】
［本実施形態］
［１．構成］
次に、本発明の第１の実施形態に係る音声システムの構成について、図１〜３を参照して以下に説明する。
【００１９】
本実施形態では、図１に示すように、ワイヤレスマイク送信機（以下、単に「送信機」とも呼ぶ）と、当該送信機と使用者に関するＩＤデータの無線通信を行う非接触情報媒体と、ワイヤレスマイク受信機（以下、単に「受信機」とも呼ぶ）とを組み合わせたワイヤレスマイクシステム（以下「本システム」とも呼ぶ）に関するもので、送信機、受信機、本システムのそれぞれに対応する方法としても把握可能である。
【００２０】
［１．１．送信機と非接触情報媒体の構成］
本実施形態では、上述の通り、舞台等の出演者であるワイヤレスマイクの使用者に対して、送信機と共に、各々のＩＤデータが格納されているＲＦタグ等の非接触情報媒体を設置する点に特徴を有する。
【００２１】
ここで、この接触情報媒体とＩＤデータによる無線通信を行う送信機は、図２に示す通り、音声入力用のマイク（マイクロホン）１０と、音声信号についてデジタル化などの処理を行う音声処理部２０ａと、この音声信号の増減レベルを調整するレベル調整部３０と、処理された音声信号に伝送用の処理を行う伝送処理部４０ａと、後述する非接触情報媒体からＩＤデータを受信するＩＤ受信部５０と、各部の制御を行う制御部６０ａと、記憶部７０ａと、送信部Ｓと、を備えている。なお、操作部や表示部等の上記以外の送信機の一般的な構成は説明を省略する。
【００２２】
このうち、音声処理部２０ａは、ＤＳＰなどで実現し、マイク１０で入力された音声をデジタル化するＡ／ＤコンバータであるＡ／Ｄ変換部２１ａと、音声コーデック２２ａと、を有しており、ＤＳＰなどにより、量子化ビット数の調整、サンプリングレートの調整、ＣＯＤＥＣ（コーデック）の調整などを行う部分である。
【００２３】
また、レベル調整部３０は、音声処理部２０ａによりデジタル化された音声信号を増幅させる増幅器３１と当該信号を減衰させる減衰器３２（以下、アッテネータ３２と称する。）により構成されている。
【００２４】
また、伝送処理部４０ａは、誤り訂正部４１ａと、チャネルコーデック４２ａと、ベースバンド処理部４３ａと、を有しており、誤り訂正検査シンボル数の調整、伝送帯域の調整などを行う部分である。ＩＤ受信部５０は、上記非接触情報媒体からのＩＤデータを受信する無線部である。ここでは、非接触情報媒体にＲＦタグ等を用いるケースを想定しているので、このＩＤ受信部５０はＲＦ回路から構成される。
【００２５】
また、制御部６０ａにはＣＰＵなどが用いられ、各部の制御のほか、ＩＤ受信部５０を通じて非接触情報媒体から受信したＩＤデータを基に、後述する記憶部７０ａから当該ＩＤデータに対応したアッテネータ設定値を読み出し、当該アッテネータ設定値に基づいて前記レベル調整部３０のアッテネータ３２を制御する。加えて、この制御部６０ａは、ＩＤ受信部５０により受信したＩＤデータを、伝送処理された音声データと共に受信機側に送信するよう伝送処理部４０ａ及び送信部Ｓを通じて実現する。
【００２６】
記憶部７０ａは、各使用者のＩＤデータに対応したアッテネータ設定値がテーブルとして格納されている。送信部Ｓは、伝送処理部において各種処理が施された信号をアンテナで送信する無線部である。
【００２７】
［１．２．受信機の構成］
一方、受信機は、図３に示すように、送信機からの信号をアンテナで受信し復調する無線部である受信部Ｒと、伝送処理部４０ｂと、音声処理部２０ｂと、受信機の各部を制御する制御部６０ｂと、記憶部７０ｂと、液晶表示部８０と、復号化された音声を出力するための音声出力部であるスピーカ９０と、を有する。
【００２８】
このうち、伝送処理部４０ｂは、ＤＳＰなどで実現し、送信機の伝送処理部４０ａに対し、対になる構成（ベースバンド処理部４３ｂ、チャネルコーデック４２ｂ、誤り訂正部４１ｂ）と、対になる処理に対応する部分である。また、音声処理部２０ｂは、送信機の音声処理部２０ａに対し、対になる構成（音声コーデック２２ｂ、Ｄ／Ａ変換部２１ｂ）と、対になる処理に対応する部分である。
【００２９】
また、これら伝送処理部４０ｂならびに音声処理部２０ｂは、制御部６０ｂと共に、復調された信号からデジタル音声信号を復号化するデコード処理手段を実現し、また、Ｄ／Ａ変換部２１ｂは、そのように復号化されたデジタル音声信号をアナログ音声信号に復元するＤ／Ａコンバータである。
【００３０】
制御部６０ｂは、各部の機能を制御すると共に、後述する記憶部７０ｂから当該ＩＤデータに対応する音声処理に関する各種パラメータ等の個人に関するデータを読み出し、音声処理部２０ｂ及びスピーカ９０による音声出力に際し、この読み出した各種パラメータを反映させる。また、制御部６０ｂは、このＩＤデータに基づいて、記憶部７０ｂから読み出した個人に関するデータのうち、当該ＩＤデータに対応する使用者名称（必要であれば各種パラメータ設定値も）を液晶表示部８０に表示させる。
【００３１】
記憶部７０ｂは、各ＩＤデータに対応した使用者名称や、音声処理に関する音量、音圧、ノイズ除去等の各種パラメータ設定値などの個人に関するデータが格納されるデータベースを有している。なお、図示していないが受信機側の操作部等により、この記憶部７０ｂに、ＩＤデータに対応する使用者名称や各種パラメータ設定値を予め編集・登録することが可能である。すなわち、受信機では図示しないが、使用者名称や音声処理に関する各種パラメータ等の個人に関するデータを編集し登録する機能を有している。
【００３２】
なお、本実施形態では、図４に示すように、以上のような構成を有する受信機がミキシングコンソールとして機能する実施形態も包含し、この場合は、複数ある送信機から送信された音声データを音声処理チャネルに入力することで、各々所定のチャンネルに割り当て音声出力する。この場合、制御部６０ｂは、使用するチャンネルに対して、ＩＤデータに対応する各種パラメータ設定値を反映させ、音声出力するよう制御する。また、制御部６０ｂは、ＩＤに応じた使用者名称だけでなく、使用するチャンネルの回線名を液晶表示部８０に表示させる。
【００３３】
［２．作用］
以上のように構成された本実施形態は以下のように作用する。
【００３４】
［２．１．非接触情報媒体と送信機の作用］
まず、使用者に設置された非接触情報媒体と当該使用者が使用予定のワイヤレスマイク送信機との間で無線通信が行われると、送信機のＩＤ受信部５０では、非接触情報媒体に格納された使用者のＩＤデータを受信する。これにより、制御部６０ａは、ＩＤ受信部５０で受信したＩＤデータに基づいて記憶部７０ａから当該ＩＤデータに対応するアッテネータ設定値を読み出し、このアッテネータ設定値を基にレベル調整部３０のアッテネータ３２を使用者に応じた値に調整する。
【００３５】
そして、マイク１０から音声が入力されると、音声処理部２０ａのＡ／Ｄ変換部２１ａと音声コーデック２２ａは、音声信号をデジタル化し、デジタル音声形式（例えば、サンプリング周波数、量子化ビット数、圧縮方式）に変換し、さらに、レベル調整部３０のアッテネータ３２が、制御部６０ａを通じて使用者用に制御された音声レベルに音声信号を調整する。すなわち、レベル調整部３０により、非接触情報媒体に記憶されたＩＤに基づいて当該ＩＤ所有の使用者に応じた音声レベルに音声信号が調整される。
【００３６】
その後、伝送処理部４０ａによりコード化処理を行って送信用の伝送データが生成され、送信部Ｓを通じて、この伝送データである音声信号とＩＤ受信部５０を通じて認識したＩＤデータが受信機側に送信される。なお、ＩＤ受信部５０で受信したＩＤデータは、制御部６０ａにより伝送処理部４０ａ及び送信部Ｓを通じて、伝送用の音声信号に、何らかの情報として付加した態様（例えば、制御情報として付加）で受信機側に送信される。
【００３７】
［２．２．受信機の作用］
一方、受信機側は、送信機により送信された音声信号とＩＤデータを受信部Ｒにより受信し、制御部６０ｂが、まず、そのうちのＩＤデータを取り出し、このＩＤデータを基に記憶部７０ｂから使用者名称や音声処理に関する各種パラメータ設定値である個人に関するデータを読み出し、液晶表示部８０に表示する。すなわち、音声信号と共に送信機が設置された使用者のＩＤデータを受信した時点で、即座に、当該ＩＤに対応した使用者名称や音声処理用の各種パラメータ設定値が液晶表示部８０に表示される。
【００３８】
また、受信機をミキシングコンソールとする場合には、送信機側から送信された音声信号等に割り当てるチャンネルの回線名も液晶表示部８０に表示する。
【００３９】
一方、受信部Ｒで受信した音声信号は、その伝送量が、伝送処理部４０ｂ（べースバンド処理部４３ｂ、チャネルコーデック４２ｂ、誤り訂正部４１ｂ）により、誤り訂正検査シンボル数や伝送帯域の調整などで制御される。
【００４０】
そして、音声処理部２０ｂ（音声コーデック２２ｂ、Ｄ／Ａ変換部２１ｂ）により、受信したデジタルの音声信号を所定のデジタル音声形式により復号化し（デコード処理）、アナログ信号に変換し、音声出力部となるスピーカ９０に送信する。すなわち、このように復元された音声データは送信機側で圧縮されているので、音声コーデック２２ｂにおいて再生用の非圧縮形式のデジタルデータに復元し、さらに、このデジタルデータを、Ｄ／Ａ（デジタル→アナログ）変換部２１ｂが所定のサンプリング周波数や量子化ビット数などの条件に応じてアナログ音声信号にＤ／Ａ変換し、スピーカ９０から音声出力する。
【００４１】
ここで、上記のように音声処理部２０ｂで音声信号を復元するに当たり、本実施形態では、制御部６０ｂにより読み出されたＩＤデータに対応する音声処理に関する各種パラメータ設定値を反映する。つまり、制御部６０ｂからの指示により、音声処理部２０ｂでは、ＩＤデータに応じた、使用者特有の音声処理に関する各種パラメータ設定値を反映させ制御した音声信号を復元し、スピーカ９０を通じて音声出力する。特に、ミキシングコンソールの場合には、音声信号の出力対象となるチャネルに対して、制御部６０ｂは、読み出した当該各種パラメータ設定値を反映させるよう制御する。
【００４２】
［３．効果］
以上のような本実施形態によれば、ＩＤデータが格納されたＲＦタグ等の非接触情報媒体を使用者に設置し、ワイヤレスマイク送信機にて当該非接触情報媒体からＩＤデータを受信することで、当該ＩＤデータに基づき、使用者毎の音声処理に関する各種パラメータ設定値を読み出し、音声出力に反映させることができる。これにより、オペレータ側において、使用者毎に音声処理に関する各種パラメータを調整する手間が省けるため、オペレータの負担を格段に軽減することができ、さらに、入力ミスによるミスオペレーションも抑制することが可能となる。
【００４３】
また、ＩＤデータに対応した使用者の名称や使用する回線名等の情報を、受信機側で表示することができるため、オペレータが居る受信機側において、ワイヤレスマイクの使用者を直接的に把握することが可能となる。これにより、ワイヤレスマイクの付け替え作業が適切に行われていたかを確認することが可能となり、付け間違いに対しても即座に対応することができる。故に、従来システムにおいて生じていたミスオペレーションを確実に抑制することができる。
【００４４】
さらに、ＩＤデータに基づき、使用者毎のアッテネータ設定値又は増幅値等の音声レベル設定値を用いて音声レベルを調整することができるので、使用者に応じた音声処理に関するミスオペレーションを防止することが可能となる。
【００４５】
［他の実施形態］
本発明は、上記のような送信機において、ＩＤデータに基づいてアッテネータ設定値を読み出し、当該アッテネータ設定値に基づきアッテネータを調整する実施形態に限定するものではなく、増幅器３１を調整する実施形態も包含する。具体的には、送信機の記憶部７０ａに予め各ＩＤデータに対応させた増幅設定値を格納しておき、制御部６０ａが受信したＩＤデータに基づいて当該増幅設定値を読み出し、これを基に音声レベル調整部３０の増幅器３１を制御する。
【００４６】
また、本発明は、上記のような送信機側でアッテネータ３２又は増幅器３１を制御する実施形態に限定するものではなく、受信機側において音声レベルの制御を実行する実施形態も包含する。具体的には、受信機側に増幅器とアッテネータからなる音声レベル調整部を設け、送信機では、ＩＤデータに応じたアッテネータ設定値又は増幅設定値を読み出しはするが、実質的な音声レベルの制御は行わず、この設定値を受信機側に送信するのみである。これにより、受信機側の制御部６０ｂでは、受信部Ｒを通じて受信したアッテネータ設定値又は増幅設定値を基に当該受信機に設けた音声レベル調整部を制御し、音声レベルを使用者用に調整する。
【００４７】
また、本発明は、上記のような音声処理に関する各種パラメータ設定値を読み出し、当該パラメータ設定値を反映した音声出力を行う実施形態に限定するものではなく、使用者毎のワイヤレスマイクの設定に関する各種情報（以下、マイク特性と称する。）を自動的に読み出し、設定する実施形態も包含する。
【００４８】
具体的には、送信機の記憶部７０ａに使用者毎のＩＤデータに対応したマイク特性のデータベースを格納し、制御部６０ａが受信したＩＤデータに基づいてマイク特性を読み出し、ワイヤレスマイクの設定を制御する。あるいは、受信機側の記憶部７０ｂに、ＩＤデータに対応したマイク特性のデータベースを格納しておき、当該受信機でＩＤデータを受信した際に、制御部６０ｂが、このＩＤデータを基にマイク特性を読み出し、送信機側のワイヤレスマイクの設定を制御する。
【符号の説明】
【００４９】
１０…マイク
２０ａ…音声処理部
２０ｂ…音声処理部
２１ａ…Ａ／Ｄ変換部
２１ｂ…Ｄ／Ａ変換部
２２…アッテネータ
２２ａ…音声コーデック
２２ｂ…音声コーデック
３０…音声レベル調整部
３１…増幅器
３２…アッテネータ
４０ａ…伝送処理部
４０ｂ…伝送処理部
４１ａ…誤り訂正部
４１ｂ…誤り訂正部
４２ａ…チャネルコーデック
４３ａ…ベースバンド処理部
４３ｂ…ベースバンド処理部
５０…ＩＤ受信部
６０ａ…制御部
６０ｂ…制御部
７０ａ…記憶部
７０ｂ…記憶部
８０…液晶表示部
９０…スピーカ
Ｓ…送信部
Ｒ…受信部
【図１】
2011109313.tif 000003
【図２】
2011109313.tif 000004
【図３】
2011109313.tif 000005
【図４】
2011109313.tif 000006